(57)【特許請求の範囲】
【請求項１】
新設し、或いは改修した高炉の火入れ準備のため、炉頂部ないしその近傍から垂下されるワイヤー、ロープ、チェーン等の索条の下端に取付けたチェーンブロック、ホイスト等の巻上装置の吊り上げ用フックに掛けた上記索条とは別のワイヤー、ロープ、チェーン等の索条端に取付けた吊り治具を枕木に着脱可能に取着したのち、前記巻上装置を操作して枕木を吊り上げ、上記索条、巻上装置、吊り上げ用フック或いは吊り治具の任意の箇所に連結した案内ワイヤー、ロープ、チェーン等の案内索条を所要の向きに牽引して吊り上げた上記枕木を所要の箇所まで運ぶことよりなる、高炉への枕木の充填方法で用いられる前記吊り治具であって、枕木に端面から或いは側面から嵌合するコ形断面の治具本体と、該本体に中間部が軸支されてこの支軸点を中心にして旋回可能であり、一端に枕木に係止する爪部を有し、他端が前記吊り上げ用フックに掛けた索条に連結されるレバーとよりなることを特徴とする枕木の吊り治具。
【発明の詳細な説明】
【０００１】
【発明が属する技術分野】
本発明は、新設し或いは改修した高炉の火入れ準備のために行われる枕木の填充方法で用いる枕木の吊り治具に関する。
【０００２】
【従来技術】
新設し或いは改修した高炉は、乾燥後、火入れ準備のため炉底から羽口レベルまで枕木が積み重ねられ、その上からコークスが充填され、更にその上からコークスと鉱石が交互に充填される。枕木を充填するのは、炉底部の早期昇温のためガスの通りをよくするためと、降下する銑滓に対して熱容量の大きな低温のコークスがないようにするためである。
【０００３】
枕木の充填は従来、高炉羽口の開口部から枕木を数本ないし数１０本単位で投げ込み、その間、炉内の安全な場所に退避していた作業者が投げ込まれた長い枕木を人力で所定箇所まで運んで高炉炉底から羽口直下まで一段一段規則正しく積み上げていく「井桁積み」と呼ばれる方法により行っていた。
【０００４】
【発明が解決しようとする課題】
上述する従来の枕木の積み上げ方法は、多くの作業者と時間を必要とする。
本発明は、上述する枕木の填充作業が少人数で効率よく短時間で行えるような方法と、該方法で用いる枕木の吊り具を提供することを目的とする。
【０００５】
【課題の解決手段】
請求項１に係わる発明は、新設し、或いは改修した高炉の火入れ準備のため、炉頂部ないしその近傍から垂下されるワイヤー、ロープ、チェーン等の索条の下端に取付けたチェーンブロック、ホイスト等の巻上装置の吊り上げ用フックに掛けた上記索条とは別のワイヤー、ロープ、チェーン等の索条端に取付けた吊り治具を枕木に着脱可能に取着したのち、前記巻上装置を操作して枕木を吊り上げ、上記索条、巻上装置、吊り上げ用フック或いは吊り治具の任意の箇所に連結した案内ワイヤー、ロープ、チェーン等の案内索条を所要の向きに牽引して吊り上げた上記枕木を所要の箇所まで運ぶことよりなる、高炉への枕木の充填方法で用いられる前記吊り治具であって、枕木に端面から或いは側面から嵌合するコ形断面の治具本体と、該本体に中間部が軸支されてこの支軸点を中心にして旋回可能であり、一端に枕木に係止する爪部を有し、他端が前記吊り上げ用フックに掛けた索条に連結されるレバーとよりなることを特徴とする。
【０００６】
本発明における炉内の枕木充填作業は、巻上装置を操作して枕木を吊り上げ、案内索条を所要の向きに牽引することにより行われ、枕木の吊り下げは、治具本体を枕木に端面から或いは側面から嵌合させて吊り上げることにより、レバー他端が索条で引張り上げられるレバーが旋回して一端の爪部が枕木に食い込み固定されるため、枕木が例え傾いた状態で吊り上げられても捩じれたり、ずれたりすることなく運ばれる。
【０００９】
【発明の実施の形態】
新設し或いは改修した高炉を乾燥後、火入れ準備のため炉底に枕木を積み重ねる本発明方法で用いる装置の一態様を以下図面により説明する。
図１に示す高炉１において、炉頂部近傍のマンホール、例えば左右の点火マンホール２からそれぞれ索条としてのワイヤーロープ３を垂下する。各ワイヤーロープ３にはそれぞれ下端に巻上装置としての電動ホイスト５が取付けてあり、電動ホイスト５は羽口４レベルの数ｍ上に位置させている。
【００１０】
電動ホイスト５より吊り下げられ、コントローラ（図示しない）の操作により昇降する吊り下げ用のフック６は炉底まで降下可能で、案内索条としての案内ロープ７が連結され、案内ロープ７を牽引することによりフック６を任意の方向に移動させることができるようになっている。
【００１１】
図２に示すように中間部をフック６に引掛ける索条のワイヤーロープ８は、両端に吊り治具９を取付けている。この吊り治具９は図４に示されるように、コ形断面の治具本体１１と、治具本体１１に中間部が軸支されてこの支軸点１６を中心にして旋回可能であり、一端に治具本体１１に形成されるスリット１２を通して枕木１３に掛止する爪部１４を有し、他端が上記ワイヤーロープ８に連結されるレバー１５よりなり、治具本体１１を枕木１３に嵌合させた状態でワイヤーロープ８を引き上げると、レバー１５が図４の一点鎖線位置より時計方向に旋回し、爪部１４が枕木１３に食い込んで枕木１３を固定する作用を行う。
【００１２】
図３は、ワイヤーロープが掛けられるフックの別の例を示すもので、ワイヤーロープ１７端にはフック１９に掛けられる吊り輪１８が形成され、フック１９には根元付近に吊り輪１８抜け止め用のストッパー２０が開閉可能に取付けられている。このストッパー２０は図示しないバネにより常には閉じて吊り輪１８の抜け止めを行い、吊り輪１８を押込むと、バネの作用に抗して押し下げられ、開口するようになっている。
【００１３】
次に高炉炉底への枕木の填充方法について説明する。
先ず、高炉内の作業者を安全な場所に避難させたのち、羽口４から枕木を数本ないし数１０本単位で炉底部に投げ込む。投げ込み後、作業者は上記コントローラの操作により電動ホイスト５から吊り下げ用のフック６或いは１９を降ろす。フック６或いは１９を降ろすのに前後してワイヤーロープ８両端の吊り治具９の治具本体１１を炉内に投げ込まれた枕木１３に対し、その両側端部にそれぞれ嵌合掛止させる。ついで案内ロープ７を手繰り寄せてワイヤーロープ８の中間部を吊り下げ用のフック６に或いはワイヤーロープ１７端の吊り輪１８をフック１９に引掛ける。その後、片手で案内ロープ７を掴み、別の片手でコントローラを操作してフック６或いは１９を上昇させ、枕木１３を吊り上げる。そして案内ロープを牽引して目的の箇所まで枕木を運び、枕木１３の向きを所定の方向に向けて降ろす。
【００１４】
以上のようにして、枕木の積み重ねが行われ、炉内の枕木の積み重ねが終わると、新たな枕木が作業者を退避させた状態で同様にして投げ込まれる。以後、同様にして枕木の積み重ねが行われ炉内への填充が行われる。
【００１５】
別の方法では、図５に示すように炉内に羽口に達する高さの張り出しデッキ２１を仮設し、ローラコンベア２２を羽口４に通してデッキ２１に設置する。枕木の搬送は、ローラコンベア２２により羽口４を通して炉内に水平搬送し、デッキ２１上の作業者が吊り治具９を枕木１３の各側端部に嵌合掛止させる。ついで電動ホイスト５のコントローラ２３を操作して枕木１３を吊り上げ、炉底まで降ろす。この間、炉底に配置される別の作業者が案内ロープ７を牽引して吊り降ろされる枕木１３を所定の箇所まで運び、所定の向きにして枕木を積み重ねる誘導作業を行い、積み重ね後、枕木から吊り治具９を取外す。以後同様な作業が繰り返される。
【００１６】
【発明の効果】
請求項１に係わる発明によると、案内索条を牽引しながら巻上装置を操作することにより、少人数の作業者でも炉内の枕木填充作業が行えること、作業者は人力で枕木を運ぶ必要がなくなり、枕木填充作業の労力が軽減され、枕木の填充が短時間で能率よく行うことができること等の効果を奏する。
【００１７】
請求項２に係わる発明の吊り治具によると、枕木を吊り上げたとき、レバーの爪部が枕木に食い込むようになるため、枕木がしっかりと固定され、搬送時にずり落ちることなく確実に搬送することができる。
【図面の簡単な説明】
【図１】炉頂部から電動ホイストを吊り下げた高炉の概略断面図。
【図２】電動ホイストで枕木を吊り上げた状態を示す図。
【図３】ワイヤーロープ端の吊り輪が掛けられるフックの別の態様を示す図。
【図４】吊り治具の断面図。
【図５】枕木填充の別の方法で用いられる装置の斜視図。
【符号の説明】
１・・高炉
２・・点火マンホール
３、８、１７・・ワイヤーロープ
４・・羽口
５・・電動ホイスト
６、１９・・フック
７・・案内ロープ
９・・吊り治具
１２・・スリット
１３・・枕木
１４・・爪部
１５・・レバー
１６・・支軸点
１８・・吊り輪
２１・・張り出しデッキ
２２・・ローラコンベア
２３・・コントローラ
【図１】
0004744030.tif 000002
【図２】
0004744030.tif 000003
【図３】
0004744030.tif 000004
【図４】
0004744030.tif 000005
【図５】
0004744030.tif 000006